(57)【要約】【課題】乾燥対象物の種類に応じて最適な乾燥処理を行うことができる乾燥装置を提供する。【解決手段】吹出口から放出する乾燥用風によって乾燥対象物を乾燥させる乾燥装置であって、乾燥対象物を検知する対象物検知部１１と、対象物検知部１１が検知した乾燥対象物の種類を特定する対象物判定部１２とを備え、対象物判定部１２の判定結果に基づいて、乾燥対象物の種類に応じた乾燥用風を放出する。【選択図】図１
2013224789.tif 000002
【特許請求の範囲】
【請求項１】
吹出口から放出する乾燥用風によって乾燥対象物を乾燥させる乾燥装置であって、
乾燥対象物を検知する対象物検知部と、
上記対象物検知部が検知した乾燥対象物の種類を特定する対象物判定部とを備え、
上記対象物判定部の判定結果に基づいて、乾燥対象物の種類に応じた乾燥用風を放出することを特徴とする乾燥装置。
【請求項２】
乾燥対象物の種類に応じて予め設定された複数の動作モードのうち、上記対象物判定部の判定結果に基づいて、上記対象物検知部が検知した乾燥対象物の種類に応じた動作モードを決定し、
上記決定された動作モードに応じた乾燥用風を放出することを特徴とする請求項１に記載の乾燥装置。
【請求項３】
上記動作モードは、それぞれ、乾燥対象物の種類に応じて、該乾燥用風の強さおよび温度が設定されていることを特徴とする請求項２に記載の乾燥装置。
【請求項４】
上記動作モードは、それぞれ、該乾燥対象物の種類に応じて、乾燥用風を放出する時間が設定されていることを特徴とする請求項２または３に記載の乾燥装置。
【請求項５】
上記対象物検知部は、乾燥対象物を検知すると、該乾燥対象物を撮像し、
上記対象物判定部は、上記対象物検知部が撮像した画像に基づき、上記乾燥対象物の種類を特定することを特徴とする請求項１〜４の何れか１項に記載の乾燥装置。
【請求項６】
乾燥用風を温めるヒーター部を備え、
乾燥対象物の種類に応じて設定された温度の乾燥用風を放出することを特徴とする請求項１〜５の何れか１項に記載の乾燥装置。
【請求項７】
上記吹出口からイオンを放出するイオン発生部を備え、
イオンの濃度は、乾燥対象物の種類に応じて異なっており、
上記イオン発生部は、上記乾燥対象物の種類に応じたイオンを放出することを特徴とする請求項１〜６の何れか１項に記載の乾燥装置。
【請求項８】
上記対象物検知部は、乾燥対象物の温度を検知するセンサと、超音波を発して、乾燥対象物からの反射波を検知するセンサとを備え、
上記対象物判定部は、上記対象物検知部の検知内容に基づいて、乾燥対象物の種類を特定することを特徴とする請求項１〜４の何れか１項に記載の乾燥装置。
【請求項９】
上記対象物判定部の判定結果に基づいて、乾燥対象物の種類に応じた乾燥用風を、該乾燥対象物の種類に応じた方向に放出することを特徴とする請求項１〜８の何れか１項に記載の乾燥装置。
【請求項１０】
上記対象物判定部の判定結果に基づいて、乾燥用風を放出する方向を切り替える放出方向切替部を備え、
上記対象物判定部の判定結果に基づいて、乾燥対象物の種類に応じた乾燥用風を、該乾燥対象物の種類に応じた方向に放出することを特徴とする請求項９に記載の乾燥装置。
【請求項１１】
乾燥用風を放出するための複数の吹出口を備え、
上記対象物判定部の判定結果に基づいて、乾燥対象物の種類に応じた乾燥用風を、該乾燥対象物の種類に応じた吹出口から放出することを特徴とする請求項９に記載の乾燥装置。
【請求項１２】
上記対象物判定部の判定結果に基づいて、乾燥対象物の種類に応じた乾燥用風を、乾燥対象物が存在する方向に放出することを特徴とする請求項１〜８の何れか１項に記載の乾燥装置。
【請求項１３】
上記対象物判定部は、乾燥対象物の種類を特定する機能と、乾燥対象物の位置を特定する機能とを備えており、
上記対象物判定部の判定結果に基づいて、乾燥用風を放出する方向を切り替える放出方向切替部を備え、
上記対象物判定部の判定結果に基づいて、乾燥対象物の種類に応じた乾燥用風を、乾燥対象物が存在する方向に放出することを特徴とする請求項１２に記載の乾燥装置。
【発明の詳細な説明】
【技術分野】
【０００１】
本発明は、例えばキッチン等に設置される乾燥装置に関するものである。
【背景技術】
【０００２】
近年、洗面所等に設置される温風乾燥機は、手を乾燥させる機能に加えて、様々な機能が提案されている。例えば、特許文献１の温風乾燥機（ハンドドライヤ）は、肌を保湿しつつ手を乾燥させることができ、また同時に、手の隅々にまで殺菌処理を施すことができる。
【０００３】
図１６は、特許文献１のハンドドライヤ１００の構成を示す断面図である。ハンドドライヤ１００は、乾燥領域Ａに手が位置することを検出する手検出手段（図示せず）を備え、手検出手段の検知信号に基づいて送風機１４０を作動させる。また、ハンドドライヤ１００は、乾燥領域Ａに霧化ミストを放出する静電霧化装置１２０を備えている。
【０００４】
上記の構成によれば、乾燥領域Ａでは乾燥用風によって手を乾燥できると共に、乾燥領域Ａに隈なく至る霧化ミストによって除菌効果や脱臭効果や保湿効果を手の隅々にまで作用させることができる。
【先行技術文献】
【特許文献】
【０００５】
【特許文献１】特開２００８−２３７６０９号公報（２００８年１０月９日公開）
【発明の概要】
【発明が解決しようとする課題】
【０００６】
しかし、上記のような従来の温風乾燥機は、乾燥や除菌を行う対象物を手に限定しているため、その用途も限定されてしまう。
【０００７】
つまり、例えば厨房等において、食材の乾燥や除菌を行う場合には、食材用の乾燥方法や除菌方法を適用する必要がある。同様に、食器の乾燥や除菌を行う場合には、食器用の乾燥方法や除菌方法を適用する必要がある。このように、厨房等では、乾燥や除菌を行う対象物の種類（手、食材、食器等）に応じて、その方法に切り替えることが必要になる。
【０００８】
この点、従来の温風乾燥機は、乾燥や除菌を行う対象物が手に限定されるため、厨房等には適さない。
【０００９】
本発明は、上記問題点に鑑みてなされたものであり、その目的は、乾燥対象物の種類に応じて最適な乾燥処理を行うことができる乾燥装置を提供することにある。
【課題を解決するための手段】
【００１０】
本発明の乾燥装置は、上記課題を解決するために、
吹出口から放出する乾燥用風によって乾燥対象物を乾燥させる乾燥装置であって、
乾燥対象物を検知する対象物検知部と、
上記対象物検知部が検知した乾燥対象物の種類を特定する対象物判定部とを備え、
上記対象物判定部の判定結果に基づいて、乾燥対象物の種類に応じた乾燥用風を放出することを特徴とする。
【００１１】
上記の構成によれば、乾燥対象物に適した乾燥用風を放出することができる。よって、乾燥対象物に応じて最適な乾燥処理を行うことができる。また、乾燥対象物の種類を自動的に特定することができるため、ユーザによる操作を簡略化することができる。
【００１２】
上記乾燥装置では、乾燥対象物の種類に応じて予め設定された複数の動作モードのうち、上記対象物判定部の判定結果に基づいて、上記対象物検知部が検知した乾燥対象物の種類に応じた動作モードを決定し、
上記決定された動作モードに応じた乾燥用風を放出する構成とすることもできる。
【００１３】
上記の構成では、乾燥対象物の種類に応じて予め設定された複数の動作モードから、乾燥対象物に対応する動作モードを選択する構成のため、乾燥装置の構成を簡略化することができる。
【００１４】
上記乾燥装置では、上記動作モードは、それぞれ、乾燥対象物の種類に応じて、該乾燥用風の強さおよび温度が設定されていることが好ましい。
【００１５】
これにより、乾燥対象物の種類に応じて、乾燥用風の強さおよび温度を変えることができる。
【００１６】
上記乾燥装置では、上記動作モードは、それぞれ、該乾燥対象物の種類に応じて、乾燥用風を放出する時間が設定されていることが好ましい。
【００１７】
これにより、乾燥対象物の種類に応じて、乾燥動作の時間を変えることができる。
【００１８】
上記乾燥装置では、
上記対象物検知部は、乾燥対象物を検知すると、該乾燥対象物を撮像し、
上記対象物判定部は、上記対象物検知部が撮像した画像に基づき、上記乾燥対象物の種類を特定する構成とすることもできる。
【００１９】
これにより、確実に乾燥対象物の種類を特定することができるとともに、判定処理を簡略化することができる。
【００２０】
上記乾燥装置では、
乾燥用風を温めるヒーター部を備え、
乾燥対象物の種類に応じて設定された温度の乾燥用風を放出する構成とすることもできる。
【００２１】
これにより、乾燥対象物の種類に応じて、乾燥用風の温度を変えることができる。
【００２２】
上記乾燥装置では、
上記吹出口からイオンを放出するイオン発生部を備え、
イオンの濃度は、乾燥対象物の種類に応じて異なっており、
上記イオン発生部は、上記乾燥対象物の種類に応じたイオンを放出する構成とすることもできる。
【００２３】
これにより、乾燥対象物の種類に応じて、放出するイオンの濃度を変えることができる。なお、上記イオンには、プラスの電荷を有するイオンと、マイナスの電荷を有するイオンとが含まれる。
【００２４】
上記乾燥装置では、
上記対象物検知部は、乾燥対象物の温度を検知するセンサと、超音波を発して、乾燥対象物からの反射波を検知するセンサとを備え、
上記対象物判定部は、上記対象物検知部の検知内容に基づいて、乾燥対象物の種類を特定する構成とすることもできる。
【００２５】
上記乾燥装置では、上記対象物判定部の判定結果に基づいて、乾燥対象物の種類に応じた乾燥用風を、該乾燥対象物の種類に応じた方向に放出する構成とすることもできる。
【００２６】
上記乾燥装置では、
上記対象物判定部の判定結果に基づいて、乾燥用風を放出する方向を切り替える放出方向切替部を備え、
上記対象物判定部の判定結果に基づいて、乾燥対象物の種類に応じた乾燥用風を、該乾燥対象物の種類に応じた方向に放出する構成とすることもできる。
【００２７】
上記乾燥装置では、
乾燥用風を放出するための複数の吹出口を備え、
上記対象物判定部の判定結果に基づいて、乾燥対象物の種類に応じた乾燥用風を、該乾燥対象物の種類に応じた吹出口から放出する構成とすることもできる。
【００２８】
上記乾燥装置では、上記対象物判定部の判定結果に基づいて、乾燥対象物の種類に応じた乾燥用風を、乾燥対象物が存在する方向に放出する構成とすることもできる。
【００２９】
上記乾燥装置では、
上記対象物判定部は、乾燥対象物の種類を特定する機能と、乾燥対象物の位置を特定する機能とを備えており、
上記対象物判定部の判定結果に基づいて、乾燥用風を放出する方向を切り替える放出方向切替部を備え、
上記対象物判定部の判定結果に基づいて、乾燥対象物の種類に応じた乾燥用風を、乾燥対象物が存在する方向に放出する構成とすることもできる。
【００３０】
上記の各構成によれば、乾燥対象物に応じて乾燥用風の放出方向を変えることができる。よって、乾燥装置の用途を広げることができる。
【発明の効果】
【００３１】
本発明の乾燥装置は、以上のように、乾燥対象物の種類を特定する対象物判定部を備え、対象物判定部の判定結果に基づいて、乾燥対象物の種類に応じた乾燥用風を放出する構成である。これにより、乾燥対象物に適した乾燥用風を放出することができるため、乾燥対象物に応じて最適な乾燥処理を行うことができる。
【図面の簡単な説明】
【００３２】
【図１】実施の形態１に係る乾燥装置の概略構成を示すブロック図である。
【図２】実施の形態１に係る乾燥装置の概略構成を示す断面図である。
【図３】実施の形態１に係る乾燥装置における、各モードと乾燥方法と除菌方法とが関連付けられたテーブルの構成例を示す図である。
【図４】実施の形態２に係る乾燥装置の概略構成を示す断面図である。
【図５】実施の形態３に係る乾燥装置の概略構成を示すブロック図である。
【図６】実施の形態３に係る乾燥装置の概略構成を示す断面図である。
【図７】（ａ）は、乾燥対象物が「手」、「食材」であった場合の乾燥装置の概略構成を示す断面図であり、（ｂ）は、乾燥対象物が「食器」、「布類」であった場合の乾燥装置の概略構成を示す断面図である。
【図８】変形例２に係る乾燥装置の概略構成を示す断面図である。
【図９】（ａ）は、乾燥対象物が「手」、「食材」であった場合の乾燥装置の概略構成を示す断面図であり、（ｂ）は、乾燥対象物が「食器」、「布類」であった場合の乾燥装置の概略構成を示す断面図である。
【図１０】実施の形態４に係る乾燥装置の概略構成を示すブロック図である。
【図１１】実施の形態４に係る乾燥装置の概略構成を示す断面図である。
【図１２】（ａ）は、乾燥対象物が乾燥装置の下側に存在する場合の乾燥装置の概略構成を示す断面図であり、（ｂ）は、乾燥対象物が乾燥装置の横側に存在する場合の乾燥装置の概略構成を示す断面図である。
【図１３】変形例３に係る乾燥装置の概略構成を示す断面図である。
【図１４】（ａ）は、乾燥対象物が乾燥装置の下側に存在する場合の乾燥装置の概略構成を示す断面図であり、（ｂ）は、乾燥対象物が乾燥装置の横側に存在する場合の乾燥装置の概略構成を示す断面図である。
【図１５】実施の形態１〜４に係る乾燥装置をシンクに設置した状態を模式的に示す斜視図である。
【図１６】特許文献１のハンドドライヤの構成を示す断面図である。
【発明を実施するための形態】
【００３３】
〔実施の形態１〕
本発明の実施の形態１に係る乾燥装置について、図面を用いて説明する。
【００３４】
図１は、実施の形態１に係る乾燥装置１０の概略構成を示すブロック図であり、図２は、乾燥装置１０の概略構成を示す断面図である。
【００３５】
乾燥装置１０は、対象物検知部１１、対象物判定部１２、調整制御部１３、送風部１４、ヒーター部１５、イオン発生部１６、および記憶部１９を備えている。
【００３６】
対象物検知部１１は、カメラにより構成されており、乾燥装置１０の吹出口１０ａ付近に設けられている。対象物検知部１１は、検知領域１０ｂ（乾燥用風が当たる領域）に存在する物体（乾燥対象物）を検知すると、乾燥対象物を撮影し、撮像画像を対象物判定部１２に出力する。
【００３７】
対象物判定部１２は、対象物検知部１１から取得した撮像画像を解析して、乾燥対象物を特定する。具体的には、対象判定部１２は、対象物検知部１１から取得した撮像画像における、特徴的な形状（手や指の形、円形、矩形など）、特徴的な色、外光からの反射光の有無、などに基づき、乾燥対象物が、手、食材（野菜など）、および食器類（皿、調理器具など）のうちの何れであるかを特定する。画像解析の方法としては、周知の技術を用いることができ、特に限定されるものではないが、パターンマッチング法を用いることが好ましい。パターンマッチング法によれば、予め、手、食材、食器類などの形状パターンを複数蓄積しておき、蓄積した形状パターンと撮像画像とを比較して整合性を判断するため、乾燥対象物の判定精度を高めることができる。
【００３８】
対象物判定部１２は、判定結果を調整制御部１３に出力する。具体的には、対象物判定部１２は、乾燥対象物が手であることを示す信号、乾燥対象物が食材であることを示す信号、乾燥対象物が食器類であることを示す信号の何れかを出力する。
【００３９】
調整制御部１３は、対象物判定部１２から判定結果を受け取ると、判定結果に応じた動作モードを決定する。動作モードは、乾燥対象物の種類に応じて予め複数設けられており、例えば、乾燥対象物が手の場合の「手」モード、乾燥対象物が食材の場合の「食材」モード、乾燥対象物が食器の場合の「食器」モード、乾燥対象物が布類の場合の「布類」モードが設けられている。各動作モードには、個別に乾燥方法および除菌方法が設定されている。例えば、乾燥方法として、乾燥用風の風力、温度、送風時間（動作時間）が動作モードごとに設定されており、除菌方法として、いわゆるプラズマクラスターイオン（「プラズマクラスター」：登録商標）（以下では適宜、イオンと称す）の濃度、イオン放出時間（動作時間）が動作モードごとに設定されている。動作モードと、乾燥方法および除菌方法とは、図３に示すテーブルにより予め関連付けられている。また、テーブルは、予め記憶部１９に格納されている。すなわち、調整制御部１３は、上記判定結果に基づき、記憶部１９のテーブルを参照して、動作モード（乾燥対象物）に対応した乾燥方法および除菌方法を決定する。
【００４０】
なお、プラズマクラスターイオンの効果としては、肌の保湿、浮遊／付着カビ菌の除菌、浮遊菌／ウイルスの作用の抑制、付着臭の分解・除去、静電気発生の抑制などが知られている。
【００４１】
また、図３のテーブルにおける動作時間は、対象物検知部１１が乾燥対象物を検知し、乾燥・除菌動作を開始してから、動作を終了するまでの時間である。
【００４２】
調整制御部１３は、決定した風力、動作時間に基づき、送風部１４を動作させる。また、調整制御部１３は、決定した温度に基づき、ヒーター部１５を動作させる。さらに、調整制御部１３は、決定したイオン濃度、動作時間に基づき、イオン発生部１６を動作させる。
【００４３】
ヒーター部１５は、調整制御部１３の指示に基づき、乾燥用風を、決定された温度に加熱する。なお、乾燥装置１０は、ヒーター部１５の電源をＯＮ／ＯＦＦする切り替えスイッチを有していても良い。また、本発明の乾燥装置は、ヒーター部１５を備えていない構成としても良い。すなわち、乾燥用風は、温風に限定されず、常温風あるいは冷風であっても良い。
【００４４】
イオン発生部１６は、調整制御部１３の指示に基づき、決定された濃度のイオンを発生する。なお、本発明の乾燥装置は、イオン発生部１６を備えていない構成としても良いし、イオン発生部１６の代わりに除菌機能のみを有していても良い。
【００４５】
送風部１４は、ヒーター部１５により温められた乾燥用風、および、イオン発生部１６により発生されたイオンを、吹出口１０ａに送り出す。
【００４６】
以上の動作により、乾燥装置１０の吹出口１０ａから、乾燥対象物に応じて設定された乾燥用風およびイオンが放出される。
【００４７】
ここで、図３に示すテーブルを用いて、動作モードと、動作モードに対応する具体的な乾燥方法および除菌方法について説明する。なお、図３に示すテーブルには、効果・効能を示している。このテーブルの情報は、ユーザが確認できるように、ユーザの操作により、乾燥装置１０に設けられた表示パネル（図示せず）等に表示させても良い。また、テーブルの設定内容をユーザが変更できる機能を備えていても良い。
【００４８】
「手」モードでは、素早い乾燥と手荒れ防止（保湿、除菌）のため、風力は「強」、温度は「低」、イオン濃度は「中」、動作時間は「短」に設定されている。
【００４９】
「食材」モードでは、食材が傷まない程度の乾燥（水切り）と簡易的な除菌を行うため、風力は「弱」、温度は「低」、動作時間は「短」に設定されている。また、簡易除菌のため、イオン濃度は「低」に設定されている。
【００５０】
「食器」モードでは、食器類（食器、調理器具（まな板等））を素早く乾燥し、確実な除菌を行うため、風力は「強」、温度は「高」、イオン濃度は「高」、動作時間は「長」に設定されている。
【００５１】
「布類」モードでは、布類（ふきん、スポンジなど）を確実に除菌および脱臭するために、風力は「強」、温度は「高」、イオン濃度は「高」、動作時間は「長」に設定されている。
【００５２】
「シンク」モードでは、シンク全体を素早く乾燥させて水垢の発生を防止するために、風力は「強」、温度は「高」、動作時間は「長」に設定されている。また、イオンコーティングを行い、汚れや滑り付着を防止するために、イオン濃度は「高」に設定されている。なお、「シンク」モードは、調整制御部１３が決定するものではなく、ユーザが手動操作により選択するものである。この詳細については後述する。
【００５３】
ここで、上記の動作例では、ユーザ等により予め設定された時間（動作時間）が経過したときに、自動的に乾燥・除菌動作を停止する構成であるが、他の動作例として、対象物検知部１１の検知結果に基づいて、自動的に乾燥・除菌動作を停止する構成としても良い。
【００５４】
この構成によれば、例えば、ユーザが乾燥対象物（食材、食器、布類など）を検知領域１０ｂに翳している間は継続して乾燥・除菌動作を行い、ユーザが乾燥対象物を検知領域１０ｂから除外したときに乾燥・除菌動作を停止することができる。この動作は、例えば以下の構成により実現することができる。すなわち、乾燥装置１０の操作パネル等（図示せず）に、自動／手動を切り替える「手動」スイッチを設け、「手動」スイッチがＯＮのときは、「動作時間」を無効にする。そして、対象物検知部１１が乾燥対象物を検知し、調整制御部１３が対象物判定部１２から判定結果を受信した時に、乾燥・除菌動作を開始し、対象物検知部１１が、乾燥対象物が検知領域１０ｂから除外されたことを検知し、調整制御部１３が対象物判定部１２から判定結果（乾燥対象物なし）を受信した時に、乾燥・除菌動作を停止する。
【００５５】
また、乾燥・除菌動作をユーザの手動により停止する構成としても良い。
【００５６】
以上のように、本実施の形態に係る乾燥装置１０は、ユーザが乾燥・除菌させたい乾燥対象物が複数種類ある場合に、乾燥対象物の種類に応じて、乾燥用風の風力および温度、イオン濃度、動作時間を最適な条件に設定することができるため、乾燥対象物に応じた最適な乾燥・除菌動作を行うことができる。また、乾燥対象物に応じた上記条件を予め設定しておくことにより、ユーザは、検知領域１０ｂに乾燥対象物を翳すだけで、乾燥対象物に応じた最適な乾燥・除菌動作を行うことができるため、乾燥装置１０の操作性が複雑化することもない。さらに、乾燥装置１０では、乾燥対象物の種類を自動的に特定し、特定した乾燥対象物に対応する乾燥用風を放出することができるため、ユーザが乾燥対象物の種類を選択する手間を省くこともできるとともに、乾燥・除菌の誤動作を防ぐことができる。
【００５７】
なお、以上に説明した乾燥装置１０では、乾燥動作および除菌動作の両方を行う構成であるが、本発明に係る乾燥装置はこれに限定されるものではなく、少なくとも乾燥動作を行う構成であれば良い。
【００５８】
また、乾燥装置１０が乾燥動作および除菌動作の両方の機能を備える場合に、除菌動作を停止させて乾燥動作のみを実行させる場合は、例えば乾燥装置１０の操作パネル等に設けたスイッチをＯＦＦにすれば良い。
【００５９】
（変形例１）
上記の乾燥装置１０では、対象物検知部１１（カメラ）により撮像された画像を解析して、乾燥対象物の種類を特定する構成であるが、乾燥対象物の種類の特定方法はこれに限定されず、以下の構成としても良い。
【００６０】
すなわち、変形例１に係る乾燥装置１０は、乾燥対象物の温度を検知する温度センサと、乾燥対象物に超音波を当てて、乾燥対象物からの反射波を検知する超音波センサとを用いて、これらの検知内容に基づいて乾燥対象物の種類を特定する構成である。
【００６１】
例えば、乾燥対象物の温度が所定値よりも高いか低いかにより、「手」であるか否かを判定することができる。また、超音波の反射情報により、食器類（金属、陶器など硬質の物）であるか否かを判定することができる。また、超音波の反射情報により、食器類でない場合には、食材であると判定することができる。
【００６２】
なお、超音波の反射波に代えて、光（可視光、赤外光、レーザ光など）の反射情報を用いて、乾燥対象物の種類を特定する構成としても良い。
【００６３】
〔実施の形態２〕
本発明の実施の形態２に係る乾燥装置について、図面を用いて説明する。
【００６４】
図４は、実施の形態２に係る乾燥装置２０の概略構成を示す断面図である。実施の形態１に示した乾燥装置１０では、乾燥用風およびイオンを下方向に放出する構成であるが、本実施の形態に係る乾燥装置２０では、乾燥用風およびイオンを横方向に放出する構成である。
【００６５】
乾燥装置２０の具体的な構成および動作は、乾燥装置１０と同一である。
【００６６】
〔実施の形態３〕
本発明の実施の形態３に係る乾燥装置について、図面を用いて説明する。なお、以下の説明では、主に、実施の形態１に係る乾燥装置１０との相違点について説明するものとし、実施の形態１で説明した各構成要素と同一の機能を有する構成要素には同一の番号を付し、その説明を省略する。
【００６７】
図５は、実施の形態３に係る乾燥装置３０の概略構成を示すブロック図であり、図６は、乾燥装置３０の概略構成を示す断面図である。
【００６８】
図５に示すように、乾燥装置３０では、図１に示す乾燥装置１０の構成に、さらに、放出方向切替部３１を備えている。
【００６９】
また、乾燥装置３０は、図６に示すように、乾燥用風およびイオンを下方向に放出するための吹出口３０ａと、乾燥用風およびイオンを横方向に放出するための吹出口３０ｂとを備えている。放出方向切替部３１は、回転機構３２（例えばヒンジ）と風向切替板３３とにより構成されており、吹出口３０ａと吹出口３０ｂとの境界付近に回転可能に設けられている。
【００７０】
対象物検知部１１は、吹出口３０ａおよび吹出口３０ｂのそれぞれに設けられており、吹出口３０ａおよび吹出口３０ｂ付近の検知領域１０ｂの乾燥対象物を検知する。対象物検知部１１は、検知領域１０ｂに存在する乾燥対象物を検知すると、乾燥対象物を撮影し、撮像画像を対象物判定部に１２に出力する。
【００７１】
対象物判定部１２は、対象物検知部１１から取得した撮像画像を解析して、乾燥対象物の種類を特定（判定）し、判定結果を調整制御部１３に出力する。
【００７２】
調整制御部１３は、対象物判定部１２から受け取った判定結果に基づいて、放出方向切替部３１の回転機構３２を電気的に作動させて風向切替板３３を回転させる。具体的には、乾燥対象物が「手」、「食材」であった場合は、放出方向切替部３１は、調整制御部１３からの指示に基づき、図７の（ａ）の状態に動作して、乾燥用風およびイオンを吹出口３０ａから下方向に放出させる。乾燥対象物が「食器」、「布類」であった場合は、放出方向切替部３１は、調整制御部１３からの指示に基づき、図７の（ｂ）の状態に動作して、乾燥用風およびイオンを吹出口３０ｂから横方向に放出させる。
【００７３】
この構成によれば、乾燥対象物に応じて乾燥用風およびイオンの放出方向を変えることができる。そのため、例えば、吹出口３０ｂの放出方向には、食器や布類を置くための水きりラック等を常設しておき、吹出口３０ａの放出方向には、ユーザが、手や食材を翳せるようにしておく。これにより、乾燥装置３０の用途を広げることができ、かつ操作性をさらに高めることができる。
【００７４】
なお、吹出口３０ａ、吹出口３０ｂの方向は、図６に示す構成に限定されず、互いに反対方向となるように設けても良い。また、吹出口は２つに限定されず、３つ以上設けられていても良く、乾燥対象物ごとにそれぞれの放出方向が異なるように構成されていても良い。
【００７５】
各動作モードに応じた乾燥動作および除菌動作は、実施の形態１に示した乾燥装置１０と同一である。
【００７６】
（変形例２）
図８は、変形例２に係る乾燥装置３０の概略構成を示す断面図である。図８に示す乾燥装置３０では、吹出口が１つ設けられている。放出方向切替部３１は、複数の回転機構３２および複数の風向切替板３３により構成されており、吹出口３０ｃ付近に回転可能に設けられている。対象物検知部１１は、吹出口３０ｃ付近に１つ設けられている。
【００７７】
調整制御部１３および放出方向切替部３１の動作は、図５および図６に示した乾燥装置３０の動作と同一である。すなわち、調整制御部１３は、対象物判定部１２から受け取った判定結果に基づいて、放出方向切替部３１の回転機構３２を電気的に作動させて風向切替板３３を回転させる。具体的には、乾燥対象物が「手」、「食材」であった場合は、放出方向切替部３１は、調整制御部１３からの指示に基づき、図９の（ａ）の状態に動作して、乾燥用風およびイオンを吹出口３０ｃから下方向に放出させる。また、乾燥対象物が「食器」、「布類」であった場合は、放出方向切替部３１は、調整制御部１３からの指示に基づき、図９の（ｂ）の状態に動作して、乾燥用風およびイオンを吹出口３０ｃから横方向に放出させる。
【００７８】
このように、本実施の形態３に係る乾燥装置３０では、吹出口の数に限定されず、乾燥対象物の種類（動作モード）に応じて、乾燥用風およびイオンの放出方向を変化させる構成である。
【００７９】
〔実施の形態４〕
本発明の実施の形態４に係る乾燥装置について、図面を用いて説明する。なお、以下の説明では、主に、実施の形態１に係る乾燥装置１０との相違点について説明するものとし、実施の形態１で説明した各構成要素と同一の機能を有する構成要素には同一の番号を付し、その説明を省略する。
【００８０】
図１０は、実施の形態４に係る乾燥装置４０の概略構成を示すブロック図であり、図１１は、乾燥装置４０の概略構成を示す断面図である。
【００８１】
図１０に示すように、乾燥装置４０では、図１に示す乾燥装置１０の構成において、対象物判定部１２が対象物判定部４４に置き換えられ、さらに、放出方向切替部４１が追加されている。
【００８２】
また、乾燥装置４０は、図１１に示すように、乾燥用風およびイオンを放出するための吹出口４０ａを備えている。放出方向切替部４１は、複数の回転機構４２（例えばヒンジ）および風向切替板４３により構成されており、吹出口４０ａ付近に回転可能に設けられている。
【００８３】
対象物判定部４４は、対象物検知部１１から取得した撮像画像を解析して、乾燥対象物の種類を特定（判定）するとともに、検知領域１０ｂにおける乾燥対象物の位置を特定する。対象物判定部４４は、判定結果を調整制御部１３に出力する。
【００８４】
調整制御部１３は、対象物判定部４４から受け取った判定結果に基づいて、放出方向切替部４１の回転機構４２を電気的に作動させて風向切替板４３を回転させる。具体的には、調整制御部１３は、乾燥対象物が存在する方向へ風向切替板４３を回転させる。これにより、例えば、乾燥対象物が乾燥装置４０の下側に存在する場合は、放出方向切替部４１は、調整制御部１３からの指示に基づき、図１２の（ａ）の状態に動作して、乾燥対象物の種類に応じた乾燥用風およびイオンを、吹出口４０ａから下方向に放出させる。また、乾燥対象物が乾燥装置４０の横側に存在する場合は、放出方向切替部４１は、調整制御部１３からの指示に基づき、図１２の（ｂ）の状態に動作して、乾燥対象物の種類に応じた乾燥用風およびイオンを、吹出口４０ａから横方向に放出させる。
【００８５】
この構成によれば、乾燥対象物の位置に応じて乾燥用風およびイオンの放出方向を変えることができる。これにより、乾燥装置４０の用途を広げることができ、かつ操作性をさらに高めることができる。
【００８６】
なお、上記乾燥装置４０は、対象検知部１１が常時、乾燥対象物を監視して対象物判定部４４が判定動作を行うことにより、乾燥対象物の動きに追従して、乾燥用風およびイオンの放出方向を変化させることができる。また、対象物判定部４４の判定結果に基づいて、風向切替板４３を所定範囲内で往復回転（いわゆる首振り回転）させながら、乾燥用風およびイオンを放出する構成とすることもできる。
【００８７】
各動作モードに応じた乾燥動作および除菌動作は、実施の形態１に示した乾燥装置１０と同一である。
【００８８】
（変形例３）
図１１に示した乾燥装置４０を、図６に示した乾燥装置３０のように、複数の吹出口を備える構成としても良い。例えば、図１３に示すように、乾燥装置４０は、吹出口４０ｂおよび吹出口４０ｃを備え、放出方向切替部４１が、１つの回転機構４２および１つの風向切替板４３で構成されていても良い。これにより、乾燥対象物が乾燥装置４０の下側に存在する場合は、図１４の（ａ）に示すように、乾燥対象物の種類に応じた乾燥用風およびイオンを、吹出口４０ｂから下方向に放出させ、乾燥対象物が乾燥装置４０の横側に存在する場合は、図１４の（ｂ）に示すように、乾燥対象物の種類に応じた乾燥用風およびイオンを、吹出口４０ｃから横方向に放出させることができる。
【００８９】
なお、吹出口４０ｂ、吹出口４０ｃの方向は、図１３に示す構成に限定されず、互いに反対方向となるように設けても良い。また、吹出口は２つに限定されず、３つ以上設けられていても良い。
【００９０】
このように、本実施の形態４に係る乾燥装置４０では、吹出口の数に限定されず、乾燥対象物の位置に応じて、乾燥用風およびイオンの放出方向を変化させる構成である。
【００９１】
ここで、上記実施の形態３，４に示した各乾燥装置では、乾燥用風およびイオンの放出方向を、ユーザの手動により切り替えることが可能な構成としても良い。例えば、操作パネル等（図示せず）に風向切替スイッチを設け、ユーザが風向切替スイッチを操作することにより、放出方向を切り替える構成とすることができる。なお、この構成を有する乾燥装置では、対象物判定部４４における、乾燥対象物の位置を判定する動作を省略することができる。
【００９２】
ここで、上記各実施の形態に示した乾燥装置１０，２０，３０，４０は、ユーザの操作を受け付ける操作パネル（図示せず）を備えていても良い。例えば、図１５に示すように乾燥装置がキッチン等のシンクに設置されている場合、ユーザが操作パネルの「シンク」スイッチをＯＮすることにより、乾燥装置は、シンクの乾燥・除菌に適した乾燥用風を放出する。シンク用の乾燥用風は、図３に示すテーブルにおいて、シンク全体を素早く乾燥させて水垢の発生を防止するために、風力が「強」、温度が「高」に設定されている。また、イオンコーティングを行い、汚れや滑り付着を防止するために、イオン濃度が「高」に設定されている。
【００９３】
このように、乾燥装置は、ユーザがスイッチをＯＮしたときは、上記乾燥用風を放出してシンクの乾燥・除菌を行う一方、ユーザがスイッチをＯＦＦしたときは、ユーザが検知領域１０ｂに翳した乾燥対象物を検知・判定し、乾燥対象物の種類に応じた乾燥・除菌を行う構成とすることもできる。
【００９４】
上記の例ではスイッチは、シンク用の乾燥用風のＯＮ／ＯＦＦを切り替える構成であるが、これに限定されず、乾燥対象物に応じたスイッチが複数設けられていても良い。
【００９５】
本発明は上述した実施形態に限定されるものではなく、請求項に示した範囲で種々の変更が可能である。すなわち、請求項に示した範囲で適宜変更した技術的手段を組み合わせて得られる実施形態についても本発明の技術的範囲に含まれる。
【産業上の利用可能性】
【００９６】
本発明は、厨房（キッチン）や洗面所に備え付ける温風乾燥機に好適である。
【符号の説明】
【００９７】
１０    乾燥装置
１０ａ  吹出口
１０ｂ  検知領域
１１    対象物検知部
１２    対象物判定部
１３    調整制御部
１４    送風部
１５    ヒーター部
１６    イオン発生部
１９    記憶部
２０    乾燥装置
３０    乾燥装置
３０ａ  吹出口
３０ｂ  吹出口
３１    放出方向切替部
３２    回転機構
３３    風向切替板
４０    乾燥装置
４０ａ  吹出口
４０ｂ  吹出口
４０ｃ  吹出口
４１    放出方向切替部
４２    回転機構
４３    風向切替板
４４    対象物判定部
【図１】
2013224789.tif 000003
【図２】
2013224789.tif 000004
【図３】
2013224789.tif 000005
【図４】
2013224789.tif 000006
【図５】
2013224789.tif 000007
【図６】
2013224789.tif 000008
【図７】
2013224789.tif 000009
【図８】
2013224789.tif 000010
【図９】
2013224789.tif 000011
【図１０】
2013224789.tif 000012
【図１１】
2013224789.tif 000013
【図１２】
2013224789.tif 000014
【図１３】
2013224789.tif 000015
【図１４】
2013224789.tif 000016
【図１５】
2013224789.tif 000017
【図１６】
2013224789.tif 000018